(57)【要約】【課題】一枚の用紙を冊子にした際に、複数の頁に且つ裏面に亘っても、データを印刷し得る用紙への印刷方法を提供する。【解決手段】一枚の矩形状の用紙１１を、縦方向の線（折り目）１２に沿って左右に折り畳んだ後、横方向の線１３に沿ってさらに上下に折り畳むとともに、後の折り畳みに係る二重折曲部の外側折曲部（切れ目）１３ａを切断したと仮定した際に、二重折曲部の内側折曲部（折り目）１３ｂの両側にそれぞれ形成される左右見開き部１４，１５における左右の紙面１４Ａ，１４Ｂ；１５Ａ，１５Ｂの折り目１３ｂにて接続された折畳み連続紙面である内側紙面１４Ｂ，１５Ａの表面および両外側紙面１４Ａ，１５Ｂの表裏面がそれぞれ印刷用頁となるように、且つ左側の見開き部１４の最外面から右側の見開き部１５の最外面に向って、頁順（Ｐ１〜Ｐ６）となるようにされたもの。【選択図】      図３
2006168232.tif 000002
【特許請求の範囲】
【請求項１】
一枚の用紙を半分の大きさに折り畳んだ際に、左右紙面およびその表裏面がそれぞれ印刷用頁となるように、且つ一方の紙面の外面側から他方の紙面の外面側に向って頁順となるように、上記各印刷用頁にデータを印刷することを特徴とする用紙への印刷方法。
【請求項２】
一枚の用紙を半分の大きさに折り畳んだ後、その折り畳み方向と直交する方向でさらに半分の大きさに折り畳むとともに、
後の折り畳みに係る二重折曲部の外側折曲部を切断したと仮定した際に、
二重折曲部の内側折曲部の両側にそれぞれ形成される左右見開き部における内側紙面の表面および各外側紙面の裏面がそれぞれ印刷用頁となるように、且つ一方の見開き部から他方の見開き部に向って、頁順となるような位置に、データを印刷することを特徴とする用紙への印刷方法。
【請求項３】
一枚の用紙を屏風折にて四重に折り畳んだ後、その折畳み方向と直交する方向でさらに半分に折り畳むとともに、
後の折り畳みに係る４つの折曲部における外側から３つの折り目をそれぞれ切断したと仮定した際に、
折り目にて接続された折畳み連続紙面の両表面、およびこの折畳み連続紙面の各端縁部に接続し形成された左右の屏風状見開き部の表裏面がそれぞれ印刷用頁となるように、且つ一方の屏風状見開き部から他方の屏風状見開き部に向って、頁順となるような位置に、印刷することを特徴とする用紙への印刷方法。
【請求項４】
一枚の用紙を屏風折にて折り畳んだ後、その折畳み方向と直交する方向でさらに屏風折にて折り畳むとともに、
後の折畳みにより生じた多重の折曲部における最内側折曲部を除いた残りの折曲部を切断したと仮定した際に、
折り目により接続された折畳み連続紙面の表面、およびこの折畳み連続紙面の両端縁部に接続された左右に開き得る各見開き部における各紙面の表裏面がそれぞれ印刷用頁となるように、且つ一方の見開き部の最外面から他方の見開き部の最外面に向って頁順となるような位置に、データを印刷することを特徴とする用紙への印刷方法。
【請求項５】
請求項４記載の印刷方法において、先の屏風折の折り回数および後の屏風折の回数がそれぞれ２回または３回であることを特徴とする用紙への印刷方法。
【発明の詳細な説明】
【技術分野】
【０００１】
本発明は、用紙への印刷方法に関し、特に一枚の用紙に複数頁のデータを印刷する方法に関する。
【背景技術】
【０００２】
通常、会議などの議事録、打合わせ記録などにおいては、記録用紙が数枚に亘るものが殆どで、その作成後においては、例えばステープル（ホッチキスの玉に相当）にて一つに綴じられていた。
【０００３】
しかし、記録用紙をステープルにて綴じる作業が面倒であるとともに、議事録等を捨てる際には、ステープルを取り外して廃棄処理が行われていた。
ところで、ステープルを用いずに議事録等を作成する方法としては、例えば一枚の用紙に連続した頁に対応するデータが配置されるようにした段組み印刷がある（例えば、特許文献１参照）。
【特許文献１】特開平８−１９７８０７号公報
【発明の開示】
【発明が解決しようとする課題】
【０００４】
しかし、上述した段組み印刷方法によると、確かに、一枚の用紙に複数の頁分のデータを配置することができるが、見開き状態で用紙の裏面についても、連続した頁に対応するデータを配置することはできず、このような場合には、やはり、データを一続きの冊子とするためにステープルを使用する必要があった。
【０００５】
そこで、本発明は、一枚の用紙を冊子にした際に、複数の頁に且つ裏面に亘っても、データを配置（印刷）し得る用紙への印刷方法を提供することを目的とする。
【課題を解決するための手段】
【０００６】
上記課題を解決するために、本発明の請求項１に係る用紙への印刷方法は、一枚の用紙を半分の大きさに折り畳んだ際に、左右紙面およびその表裏面がそれぞれ印刷用頁となるように、且つ一方の紙面の外面側から他方の紙面の外面側に向って頁順となるように、上記各印刷用頁にデータを印刷する方法である。
【０００７】
また、請求項２に係る用紙への印刷方法は、一枚の用紙を半分の大きさに折り畳んだ後、その折り畳み方向と直交する方向でさらに半分の大きさに折り畳むとともに、後の折り畳みに係る二重折曲部の外側折曲部を切断したと仮定した際に、二重折曲部の内側折曲部の両側にそれぞれ形成される左右見開き部における内側紙面の表面および各外側紙面の表裏面がそれぞれ印刷用頁となるように、且つ一方の見開き部から他方の見開き部に向って、頁順となるような位置に、データを印刷する方法である。これは、請求項４記載の印刷方法において、先の屏風折および後の屏風折の折り回数がそれぞれ１回である場合に相当する。
【０００８】
また、請求項３に係る用紙への印刷方法は、一枚の用紙を屏風折にて四重に折り畳んだ後、その折畳み方向と直交する方向でさらに半分に折り畳むとともに、後の折り畳みに係る４つの折曲部における外側から３つの折り目をそれぞれ切断したと仮定した際に、折り目にて接続された折畳み連続紙面の両表面、およびこの折畳み連続紙面の各端縁部に接続し形成された左右の屏風状見開き部の表裏面がそれぞれ印刷用頁となるように、且つ一方の屏風状見開き部から他方の屏風状見開き部に向って、頁順となるような位置に、印刷する方法である。これは、請求項４記載の印刷方法において、先の屏風折の折り回数が３回であるとともに後の屏風折の折り回数が１回である場合に相当する。
【０００９】
また、請求項４に係る用紙への印刷方法は、一枚の用紙を屏風折にて折り畳んだ後、その折畳み方向と直交する方向でさらに屏風折にて折り畳むとともに、後の折畳みにより生じた多重の折曲部における最内側折曲部を除いた残りの折曲部を切断したと仮定した際に、折り目により接続された折畳み連続紙面の表面、およびこの折畳み連続紙面の両端縁部に接続された左右に開き得る各見開き部における各紙面の表裏面がそれぞれ印刷用頁となるように、且つ一方の見開き部の最外面から他方の見開き部の最外面に向って頁順となるような位置に、データを印刷する方法である。
【００１０】
さらに、請求項５に係る用紙への印刷方法は、請求項４記載の印刷方法において、先の屏風折の折り回数および後の屏風折の回数がそれぞれ２回または３回とする方法である。
【発明の効果】
【００１１】
上述した各構成によると、一枚の用紙に各構成に記載した方法にて印刷を行った後、所定位置に切れ目を入れた後、折り畳むだけで、すなわちステープルを用いることなく、複数の頁を有する冊子を簡単に得ることができるとともに、捨てる場合でも、ステープルを外す必要がないため、その廃棄処理を容易に行うことができる。
【発明を実施するための最良の形態】
【００１２】
以下、本発明の実施の形態に係る用紙への印刷方法について説明する。
本実施の形態に係る用紙への印刷方法は、一枚の矩形状の用紙を折り畳み、また必要に応じて所定の切れ目を入れることにより、連続した複数の印刷用頁を有する冊子を形成した際に、一方の外側紙面の外面から他方の外側紙面の外面へと、順番に、連続した内容となるように印刷する方法であり、以下、冊子の頁数に応じて説明し、また当該冊子が横書きである場合について説明する。
［実施の形態１］
まず、本発明の実施の形態１に係る用紙への印刷方法を、図１および図２に基づき説明する。
【００１３】
本実施の形態１においては、一枚の用紙を半分に折り曲げて形成される左右見開きの冊子を得る場合の印刷方法について説明する。
この場合の冊子は、図１および図２に示すように、一枚の矩形状（例えば、横長）の用紙１を左右に半分に折り曲げてなる左右見開きの状態で、左右の紙面２，３の表面および裏面がそれぞれ印刷用頁となるように、且つ左側（一方）の紙面２の外面（裏面）から右側（他方）の紙面３の外面（裏面）に向って、頁順（Ｐ１〜Ｐ４）となるようにされたものである。
【００１４】
なお、折り畳んだ際に、主としてデータの本文が配置される内面側を表面と称し、主に表紙となる部分が配置される外面側を裏面と称する（以下に示す他の実施の形態においても同様とする）。
【００１５】
この用紙１にデータを印刷する場合、図２（ａ）に示すように、用紙１の裏面１Ｂの右側には第１頁（Ｐ１）、左側には第４頁（Ｐ４）に対応するデータが横方向に（横書きであるため）印刷され、また図２（ｂ）に示すように、表面１Ａ側の左側には第２頁（Ｐ２）、右側には第３頁（Ｐ３）に対応するデータが、やはり横方向に印刷される。
【００１６】
したがって、例えばプリンタ装置にて、一枚の用紙１の表面１Ａおよび裏面１Ｂに、図２に示すような位置に、すなわち印刷領域にデータの印刷を行い、そして中央の縦方向の線（折り目となる）４に沿って左右に折り畳めば、図１に示すような４頁からなる冊子が出来上がるとともに、左側（一方）の紙面２の外面（裏面）から右側（他方）の紙面３の外面（裏面）に向って順番に頁が配置された冊子を得ることができる。
【００１７】
このように、一枚の矩形状の用紙に上述したような位置に印刷を行った後、半分に折り畳むだけで、すなわちステープルを用いることなく、冊子を簡単に得ることができるとともに、当該冊子を捨てる場合でも、ステープルを外す必要がないため、その廃棄処理を容易に行うことができる。
［実施の形態２］
次に、本発明の実施の形態２に係る用紙への印刷方法を、図３および図４に基づき説明する。
【００１８】
本実施の形態２においては、一枚の用紙を半分の大きさに折り畳んだ後、その折畳み方向と直交する方向でさらに半分の大きさに折り畳むとともに、後の折り畳みに係る二重折曲部の外側部分を切断することにより得られる左右見開きの印刷用頁を少なくとも６頁有する冊子の場合の印刷方法について説明する。
【００１９】
この場合の冊子は、図３および図４に示すように、一枚の矩形状（例えば、縦長）の用紙１１を、横方向中央位置にて縦方向の線（折り目となる）１２に沿って半分の大きさに（左右に）折り畳んだ後、縦方向中央位置にて横方向（縦方向と直交する方向）の線（折り目および切れ目となる）１３に沿ってさらに半分の大きさに（上下に）折り畳むとともに、後の折り畳みに係る二重折曲部の外側折曲部（切れ目となる）１３ａを切断したと仮定した際に、二重折曲部の内側折曲部（折り目となる）１３ｂの両側にそれぞれ形成される左右見開き部１４，１５における左右の紙面１４Ａ，１４Ｂ；１５Ａ，１５Ｂの内側折曲部すなわち折り目１３ｂにて接続された折畳み連続紙面である内側紙面１４Ｂ，１５Ａの表面および両外側紙面１４Ａ，１５Ｂの表裏面がそれぞれ印刷用頁となるように、且つ左側（一方）の見開き部１４の最外面（裏面）から右側（他方）の見開き部１５の最外面（裏面）に向って、頁順（Ｐ１〜Ｐ６）となるようにされたものである。なお、折り目１３ｂにより接続された折畳み連続紙面１４Ｂ，１５Ａの互いに対向する裏面（Ｐ７，Ｐ８）については、完全に開いた状態とはならないので、予備用の印刷用頁として扱われる（後述する）。
【００２０】
この用紙１にデータを印刷する場合、図４（ａ）に示すように、その裏面１１Ｂ側の上右領域１１Ｂａには第１頁（Ｐ１）、上左領域１１Ｂｂには第７頁（Ｐ７）（予備用として使う場合）、下左領域１１Ｂｃには第８頁（Ｐ８）（予備用として使う場合）、下右領域１１Ｂｄには第６頁（Ｐ６）に対応するデータが横方向にそれぞれ印刷され、また図４（ｂ）に示すように、表面１１Ａ側の上左領域１１Ａａには第２頁（Ｐ２）、上右領域１１Ａｂには第３頁（Ｐ３）、下右領域１１Ａｃには第４頁（Ｐ４）、下左領域１１Ａｄには第５頁（Ｐ５）に対応するデータが横方向にそれぞれ印刷される。
【００２１】
なお、表面１１Ａおよび裏面１１Ｂにおける下側の領域１１Ａｃ，１１Ａｄおよび１１Ｂｃ，１１Ｂｄについては、折り曲げられて上下が逆方向となるため、それぞれに対応する第４頁、第５頁および第８頁、第６頁については、上下方向が逆となるように印刷される。
【００２２】
したがって、例えばプリンタ装置にて、一枚の用紙１１の表面１１Ａおよび裏面１１Ｂに、図４に示すように、第１頁〜第６頁となる印刷領域にデータを印刷し、そして第１頁と第６頁（第２頁と第５頁）との間に切れ目１３ａを入れた後、中央の縦方向の線１２および横方向の線１３に沿って折り畳めば、一方の見開き部１４の最外面から他方の見開き部１５の最外面に向って、順番に頁が配置された、少なくとも、６頁からなる冊子を得ることができる。
【００２３】
このように、一枚の用紙に上述した方法にて印刷を行った後、所定位置に切れ目を入れた後、折り畳むだけで、すなわちステープルを用いることなく、６頁または８頁の頁数を有する冊子を簡単に得ることができるとともに、捨てる場合でも、ステープルを外す必要がないため、その廃棄処理を容易に行うことができる。
［実施の形態３］
次に、本発明の実施の形態３に係る用紙への印刷方法を、図５および図６に基づき説明する。
【００２４】
本実施の形態３においては、一枚の用紙を屏風折にて四重に折り畳んだ後、その折畳み方向と直交する方向でさらに半分に折り畳むとともに、後の折り畳みに係る４つの折曲部における外側から３つの折り目をそれぞれ切断することにより得られる左右見開きの印刷用頁を少なくとも１４頁有する冊子の場合の印刷方法について説明する。
【００２５】
この場合の冊子は、図５および図６に示すように、一枚の矩形状（例えば、横長）の用紙２１を、横方向四等分位置にて縦方向の線（折り目となる）２２に沿って屏風折（つづら折ともいう）にて四重に折り畳んだ後、縦方向中央位置にて横方向（折畳み方向と直交する方向）の線（折り目および切れ目となる）２３に沿ってさらに半分に折り畳むとともに、後の折り畳みに係る４つの折曲部（多重の折曲部）２３における外側から３つの折曲部（切れ目）２３ａ〜２３ｃをそれぞれ切断したと仮定した際に、残りの折曲部（折り目）２３ｄにて接続されている折畳み連続紙面２４，２５の表面、およびこの折畳み連続紙面２４，２５の両端縁部に接続して形成された左右の屏風状見開き部２６，２７の表裏面がそれぞれ印刷用頁となるように、且つ左側（一方）の屏風状見開き部２６の最外面（裏面）から右側（他方）の屏風状見開き部２７の最外面（裏面）に向って、頁順（Ｐ１〜Ｐ１４）となるようにされたものである。なお、この場合も、折り目２３ｄにより接続された折畳み連続紙面２４，２５の互いに対向する裏面（Ｐ１５，Ｐ１６）については、完全に開いた状態とはならないので、予備用の印刷用頁として扱われる。
【００２６】
この用紙２１にデータを印刷する場合、図６（ａ）に示すように、裏面２１Ｂ側の上最右領域２１Ｂａには第１頁（Ｐ１）、上右中領域２１Ｂｂには第１４頁（Ｐ１４）、上左中領域２１Ｂｃには第１３頁（Ｐ３）、上最左領域２１Ｂｄには第１５頁（Ｐ１５）（予備用として使う場合）、下最左領域２１Ｂｅには第１６頁（Ｐ１６）（予備用として使う場合）、下左中領域２１Ｂｆには第１２頁（Ｐ１２）、下右中領域２１Ｂｇには第１１頁（Ｐ１１）、下最右領域２１Ｂｈには第１０頁（Ｐ１０）に対応するデータが横方向にそれぞれ印刷される。
【００２７】
また、図６（ｂ）に示すように、裏面２１Ａ側の上最左領域２１Ａａには第２頁（Ｐ２）、上左中領域２１Ａｂには第３頁（Ｐ３）、上右中領域２１Ａｃには第４頁（Ｐ４）、上最右領域２１Ａｄには第５頁（Ｐ５）、下最右領域２１Ａｅには第６頁（Ｐ６）、下右中領域２１Ａｆには第７頁（Ｐ７）、下左中領域２１Ａｇには第８頁（Ｐ８）、下最左領域２１Ａｈには第９頁（Ｐ９）に対応するデータが横方向にそれぞれ印刷される。
【００２８】
なお、表面２１Ａおよび裏面２１Ｂにおける下側の領域２１Ａｅ〜２１Ａｈおよび２１Ｂｅ〜２１Ｂｈについては、折り曲げられて上下が逆方向となるため、それぞれに対応する第６〜第９頁、および第１６頁、第１２頁、第１１頁、第１０頁については、上下方向が逆となるように印刷される。
【００２９】
したがって、例えばプリンタ装置にて、一枚の用紙２１の表面２１Ａおよび裏面２１Ｂに、図６に示すように、第１頁〜第１４頁となる印刷領域にデータを印刷し、そして表面２１Ａにおいて、第２頁〜第４頁と第９頁〜第７頁との間に切れ目２３ａ〜２３ｃを入れた後、縦方向の線２２および横方向の線２３に沿って折り畳めば、左側（一方）の見開き部２６の最外面（裏面）から右側（他方）の見開き部２７の最外面（裏面）に向って、順番に頁が配置された、少なくとも、１４頁からなる冊子を得ることができる。
【００３０】
このように、一枚の用紙に上述した方法にて印刷を行った後、所定位置に切れ目を入れた後、折り畳むだけで、すなわちステープルを用いることなく、少なくとも、１４頁を有する冊子を簡単に得ることができるとともに、捨てる場合でも、ステープルを外す必要がないため、その廃棄処理を容易に行うことができる。
【００３１】
ところで、上記実施の形態２および実施の形態３に記載された印刷方法を、広い概念でもって説明すると以下のようになる。
すなわち、一枚の用紙を屏風折にて折り畳んだ後、その折畳み方向と直交する方向でさらに屏風折にて折り畳むとともに、後の折畳みにより生じた多重の折曲部における最内側折曲部を除いた残りの折曲部を切断したと仮定した際に、折り目により接続された折畳み連続紙面の表面、およびこの折畳み連続紙面の両端縁部に接続された左右に開き得る各見開き部における各紙面の表裏面がそれぞれ印刷用頁となるように、且つ一方の見開き部の最外面（裏面）から他方の見開き部の最外面（裏面）に向って頁順となるような位置（領域）に、データを印刷する方法である。
【００３２】
上記実施の形態２においては、先の屏風折および後の屏風折の折り回数がそれぞれ１回である場合に相当し、また実施の形態３においては、先の屏風折の折り回数が３回であるとともに後の屏風折の折り回数が１回である場合に相当する。
【００３３】
したがって、先の屏風折の折り回数が２回（折畳みが三重）であるとともに後の屏風折の折り回数が２回（折畳みが三重）である場合の冊子にも適用することができ、さらに先の屏風折の折り回数が３回（折畳みが四重）であるとともに後の屏風折の折り回数が３回（折畳みが四重）である場合の冊子にも適用することができる。この折り回数が３回（折畳みが四重）である場合の冊子およびその用紙の印刷すべき位置（領域）を、説明は省略するが、図８および図９の（ａ）および（ｂ）に示しておく。この場合には、一枚の矩形状の用紙３１の表面３１Ａおよび裏面３１Ｂには、少なくとも、第１頁（Ｐ１）〜第２６頁（Ｐ２６）用の印刷領域が形成される。なお、予備用の印刷用頁には頁番号を付していない。
【００３４】
ところで、上記各実施の形態においては、冊子が横書きである場合として説明したが、勿論、縦書きであってもよい。この場合、各印刷領域においては、折り畳んだ状態で、縦書きとなるような方向で印刷が行われる。
【００３５】
また、上記各実施の形態においては、横書きのために、左側の最外面（用紙の裏面に相当する）を第１頁として説明したが、縦書きの場合には、右側の最外面が第１頁となる。
さらに、上記各実施の形態においては、用紙の印刷方法に着目して説明したが、その用紙にデータを印刷するプリンタ装置に、それぞれの折り方（折り回数）に応じて、切れ目を入れるためのカッタ装置を具備させてもよく、さらにそのプリンタ装置に、切れ目が入れられた用紙を折り目に沿って折るための折曲げ機構を具備させてもよい。このような機構を付加すれば、冊子製作装置が得られることになる。
【図面の簡単な説明】
【００３６】
【図１】本発明の実施の形態１に係る印刷方法により得られる冊子の斜視図である。
【図２】同実施の形態１に係る印刷方法を説明するための用紙を示し、（ａ）は裏面の平面図、（ｂ）は表面の平面図である。
【図３】本発明の実施の形態２に係る印刷方法により得られる冊子の斜視図である。
【図４】同実施の形態２に係る印刷方法を説明するための用紙を示し、（ａ）は裏面の平面図、（ｂ）は表面の平面図である。
【図５】本発明の実施の形態３に係る印刷方法により得られる冊子の斜視図である。
【図６】同実施の形態３に係る印刷方法を説明するための用紙を示し、（ａ）は裏面の平面図、（ｂ）は表面の平面図である。
【図７】本発明の他の実施の形態に係る印刷方法により得られる冊子の斜視図である。
【図８】同他の実施の形態に係る印刷方法を説明するための用紙を示し、（ａ）は裏面の平面図、（ｂ）は表面の平面図である。
【符号の説明】
【００３７】
１      用紙
２      紙面
３      紙面
４      折り目
１１      用紙
１１Ａ    表面
１１Ｂ    裏面
１３      折曲部
１３ａ    外側折曲部（切れ目）
１３ｂ    内側折曲部（折り目）
１４      見開き部
１５      見開き部
２１      用紙
２１Ａ    表面
２１Ｂ    裏面
２３      折曲部
２３ａ    折り目
２３ｂ〜２３ｄ      切れ目
２６      見開き部
２７      見開き部
３１      用紙
３１Ａ    表面
３１Ｂ    裏面
【図１】
2006168232.tif 000003
【図２】
2006168232.tif 000004
【図３】
2006168232.tif 000005
【図４】
2006168232.tif 000006
【図５】
2006168232.tif 000007
【図６】
2006168232.tif 000008
【図７】
2006168232.tif 000009
【図８】
2006168232.tif 000010